(57)【要約】【課題】快適な睡眠を実現できる寝具を提供する。【解決手段】厚み方向及び面方向に通気性を有し、表面側が人体との接触面となる表層クッション材１１００を有し、その下部に、表層クッション材１１０中に空気の流れを形成する寝床内環境制御手段が配設されている。それにより、表層クッション材１１００中では、空気が厚み方向に抜けるだけでなく面方向にも速やかに広がり、表層クッション材１１００中の空気層は、所定の温度、湿度又は気流に制御され、表層クッション材１１００に支持されている人体周囲の空気層との間で、温度勾配、湿度勾配又は気流勾配を生じさせる。その結果、人体周囲の空気層と表層クッション材１１００中の空気層との間で穏やかな空気の移動が生じ、寝床内環境（温度、湿度又は気流）が穏やかに適正な条件に制御され、快適な睡眠を実現できる。【選択図】  図１
2019201826.tif 000002
【特許請求の範囲】
【請求項１】
厚み方向及び面方向に通気性を有し、表面側が人体との接触面となる表層クッション材と、
前記表層クッション材の下部に配設され、前記表層クッション材中に空気の流れを形成する機能を有し、前記接触面上の前記人体周囲の空気層と、前記表層クッション材中の空気層との間で、温度勾配、湿度勾配又は気流勾配を生じさせ、前記人体周囲と前記表層クッション材との間で空気の移動を促し寝床内環境を制御する寝床内環境制御手段と、
前記表層クッション材及び前記寝床内環境制御手段を支持すると共に、前記表層クッション材側への外気の影響を抑制する支持層と
を有することを特徴とする寝具。
【請求項２】
前記表層クッション材が、三次元立体編物を用いて形成されている請求項１記載の寝具。
【請求項３】
前記支持層が、ビーズ発泡体から形成されている請求項１又は２記載の寝具。
【請求項４】
前記寝床内環境制御手段が、
前記表層クッション材の下部に少なくとも一つ配設され、内部が空気の流通空間となっている本体ケースと、前記本体ケース内に配置され、前記表層クッション材における人体との接触面側から前記本体ケース内に吸気するファンと、前記本体ケースにおいて前記ファンから離間した位置に、前記表層クッション材における人体との接触面に対峙する向きで開設され、前記ファンの吸気に伴う空気流を前記人体との接触面方向に排気する排気口とを有するベンチレーション機構と、
前記空気流を加温するヒーターと、
寝床内環境測定センサーと、
前記寝床内環境測定センサーの測定結果に基づき、前記ベンチレーション機構及び前記ヒーターを制御する制御部と
を有して構成される請求項１〜３のいずれか１に記載の寝具。
【請求項５】
前記ヒーターは、前記表層クッション材と前記ベンチレーション機構の少なくとも一つとの間に配設される面状ヒーターである請求項４記載の寝具。
【請求項６】
前記ベンチレーション機構は、さらに、前記空気流を旋回させ、前記排気口から前記空気流を旋回流として排気させる旋回流生成部を備えている請求項４又は５記載の寝具。
【請求項７】
前記旋回流生成部は、前記排気口方向に向かって立ち上がる筒状部を有してなり、前記空気流が前記筒状部の周囲を旋回することで前記旋回流が生成される請求項６記載の寝具。
【請求項８】
前記表層クッション材に支持されている人から生体信号を取得する生体信号測定装置が前記表層クッション材に付設されている共に、前記生体信号から前記人の生体状態を分析する分析装置を備え、前記人の生体状態をモニタリング可能である請求項１〜７のいずれか１に記載の寝具。
【請求項９】
前記制御部は、前記分析装置から得られる前記人の生体状態に基づき、前記ベンチレーション機構及び前記ファンの少なくとも一方を制御する機能を有する請求項８記載の寝具。
【発明の詳細な説明】
【技術分野】
【０００１】
本発明は寝具に関し、特に、寝床内環境を制御可能な寝具に関する。
【背景技術】
【０００２】
特許文献１には、マットに配置した温度センサーに基づき、所定温度の風を通気性のあるマットに送り、寝床内温度を制御する寝具が開示されている。また、特許文献２には、人を支持する袋体内に所定温度の風を送り寝床内温度を制御する就寝装置が開示されている。
【先行技術文献】
【特許文献】
【０００３】
【特許文献１】特開昭５８−２５１１６号公報
【特許文献２】特開平３−４１９１０号公報
【発明の概要】
【発明が解決しようとする課題】
【０００４】
しかし、特許文献１及び２に開示の技術は、人体を支持するマットや袋体をいわば通風ダクトの一部として利用するもので、マットや袋体から吹き出す風が人体に直接作用する。また、寝床内温度に応じてこれらの風が送られる構成であるため、就寝中、不定期に風が人体にあたることになり、しかも、その温度も一定ではなく、これらの風による制御はむしろ快適な睡眠の妨げにつながるなるおそれがある。
【０００５】
本発明は上記に鑑みなされたものであり、表層クッション材上の人体周囲の空気層と表層クッション材中の空気層との間に、温度勾配、湿度勾配又は気流勾配を作りだし、それにより、人体周囲と表層クッション材との間で穏やかな空気の移動を行わせて寝床内環境を制御し、快適な睡眠を実現できる寝具を提供することを課題とする。
【課題を解決するための手段】
【０００６】
上記課題を解決するため、本発明の寝具は、
厚み方向及び面方向に通気性を有し、表面側が人体との接触面となる表層クッション材と、
前記表層クッション材の下部に配設され、前記表層クッション材中に空気の流れを形成する機能を有し、前記接触面上の前記人体周囲の空気層と、前記表層クッション材中の空気層との間で、温度勾配、湿度勾配又は気流勾配を生じさせ、前記人体周囲と前記表層クッション材との間で空気の移動を促し寝床内環境を制御する寝床内環境制御手段と、
前記表層クッション材及び前記寝床内環境制御手段を支持すると共に、前記表層クッション材側への外気の影響を抑制する支持層と
を有することを特徴とする。
【０００７】
前記表層クッション材が、三次元立体編物を用いて形成されていることが好ましい。
前記支持層が、ビーズ発泡体から形成されていることが好ましい。
【０００８】
前記寝床内環境制御手段が、
前記表層クッション材の下部に少なくとも一つ配設され、内部が空気の流通空間となっている本体ケースと、前記本体ケース内に配置され、前記表層クッション材における人体との接触面側から前記本体ケース内に吸気するファンと、前記本体ケースにおいて前記ファンから離間した位置に、前記表層クッション材における人体との接触面に対峙する向きで開設され、前記ファンの吸気に伴う空気流を前記人体との接触面方向に排気する排気口とを有するベンチレーション機構と、
前記空気流を加温するヒーターと、
寝床内環境測定センサーと、
前記寝床内環境測定センサーの測定結果に基づき、前記ベンチレーション機構及び前記ヒーターを制御する制御部と
を有して構成されることが好ましい。
【０００９】
前記ヒーターは、前記表層クッション材と前記ベンチレーション機構の少なくとも一つとの間に配設される面状ヒーターであることが好ましい。
前記ベンチレーション機構は、さらに、前記空気流を旋回させ、前記排気口から前記空気流を旋回流として排気させる旋回流生成部を備えていることが好ましい。
前記旋回流生成部は、前記排気口方向に向かって立ち上がる筒状部を有してなり、前記空気流が前記筒状部の周囲を旋回することで前記旋回流が生成される構成であることが好ましい。
【００１０】
前記表層クッション材に支持されている人から生体信号を取得する生体信号測定装置が前記表層クッション材に付設されている共に、前記生体信号から前記人の生体状態を分析する分析装置を備え、前記人の生体状態をモニタリング可能である構成であることが好ましい。
前記制御部は、前記分析装置から得られる前記人の生体状態に基づき、前記ベンチレーション機構及び前記ファンの少なくとも一方を制御する機能を有することが好ましい。
【発明の効果】
【００１１】
本発明の寝具は、厚み方向及び面方向に通気性を有し、表面側が人体との接触面となる表層クッション材を有し、その下部に、表層クッション材中に空気の流れを形成する寝床内環境制御手段が配設されている。それにより、表層クッション材中では、空気が厚み方向に抜けるだけでなく面方向にも速やかに広がり、表層クッション材中の空気層は、所定の温度、湿度又は気流に制御され、表層クッション材に支持されている人体周囲の空気層との間で、温度勾配、湿度勾配又は気流勾配を生じさせる。その結果、人体周囲の空気層と表層クッション材中の空気層との間で穏やかな空気の移動が生じ、寝床内環境（温度、湿度又は気流）が穏やかに適正な条件に制御され、快適な睡眠を実現できる。表層クッション材として立体布帛、特に、三次元立体編物を用いると、グランド編地の糸間の隙間を通じて直接人体に作用する空気の流れよりも、連結糸間の広い隙間を通じて面方向により速やかに空気が流れるため、上記の機能を発揮しやすい。
【００１２】
また、表層クッション材及び寝床内環境制御手段を支持する支持層が、表層クッション材側への外気の影響を抑制する機能を有する。この支持層は好ましくはビーズ発泡体より形成される。このため、表層クッション材中の空気層と人体周囲の空気層とにおける上記の空気の移動を外気の影響で妨げられることが抑制される。
【００１３】
また、寝床内環境制御手段として、人体との接触面側から吸気した後、再び、人体との接触面方向に排気するベンチレーション機構を設けた構成とすることが好ましい。空気の吸引によって人体と表層クッション材の接触部付近における熱や汗等による湿り気の低減を効率的に図ることができる。また、排気口から排気される空気の流れが表層クッション材を経て人体に接触するため、この排気によっても接触部付近の熱や湿り気の低減を図ることができる。また、空気が旋回流となって排気される構成とすると、体表面に対して法線方向よりも接線方向を主体とした流れが生じやすくなり、体表面近くの空気層を効率的に攪拌でき、熱や湿り気等の低減効果が高くなり、快適性を向上させることができる。
【図面の簡単な説明】
【００１４】
【図１】図１は、本発明の一の実施形態に係る寝具を示す斜視図である。
【図２】図２は、ベンチレーション機構とヒーターの配置関係の一例を示した図である。
【図３】図３は、上記実施形態の一部断面を模式的に示した図である。
【図４】図４は、上記実施形態で用いたベンチレーション機構を示す斜視図である。
【図５】図５は、図４の平面図である。
【図６】図６は、図４の側面図である。
【図７】図７は、図４の背面図である。
【図８】図８は、ベンチレーション機構のファンの駆動の有無による表層クッション材の部位による温度の違いの測定結果を示したグラフである。
【図９】図９（ａ），（ｂ）は、生体信号測定装置の一例を示した図である。
【発明を実施するための形態】
【００１５】
以下、図面に示した実施形態に基づき、本発明をさらに詳細に説明する。図１及び図２は、本発明の一の実施形態に係る寝具Ａを示した図である。これらの図に示したように、本実施形態の寝具Ａは、表層クッション材１１００と支持層１２００とを備え、それらの間に、寝床内環境制御手段を構成するベンチレーション機構１及びヒーター２が配設され、さらに、寝床内環境測定センサー３及び制御部４を有している。
【００１６】
表層クッション材１１００は、人体に接する側に配置され、厚み方向及び面方向に通気性を有する素材から形成される。好ましくは、通気性があり、かつ、クッション性に優れた立体布帛であり、より好ましくは、三次元立体編物である。また、表層クッション層１１００は、三次元立体編物等の立体布帛１枚で用いてもよいし、図２に示したように、立体布帛１１０１，１１０２の複数枚の積層体であってもよい。さらには、通気性のある二次元の布帛や、異なる種類の立体布帛等と組み合わせて積層して用いてもよい。なお、ここでいう三次元立体編物は、所定間隔をおいた２層のグランド編地間を、連結糸を往復させて立体的に形成したものであり、各グランド編地の剛性、連結糸の弾性等により、薄型でも、例えば、厚さ３〜２０ｍｍｍ程度でも、人の荷重を支持するのに十分なクッション性を有していると共に、下部に配設されるベンチレーション機構１等の異物感を軽減できる。また、グランド編地の糸間の隙間、連結糸間の隙間を通じて、厚み方向、面方向のいずれに対しても高い通気性を発揮できる。但し、グランド編地間の糸間の隙間よりも、連結糸間の隙間の方が大きいため、面方向への空気の広がりはよりスムーズである。
【００１７】
支持層１２００は、表層クッション材１１００の下側に配置され、ベンチレーション機構１等の寝床内環境制御手段と表層クッション材１１００を支持する。支持層１２００は、表層クッション材１１００側への外気の影響を抑制、好ましくは遮断する機能を有する。好ましくは、断熱性、保温性に優れたビーズ発泡体１２０１が用いられる。支持層１２００は、このような機能を有するばよく、ビーズ発泡体１２０１のみから構成することもできるが、本実施形態のように、表層クッション材１１００上で支持される人のストローク感を補うために、該ビーズ発泡体１２０１上に、例えば、所定厚さの連続気泡の発泡ウレタン材１２０２を配設することもできる。
【００１８】
ベンチレーション機構１は、この支持層１２００の適宜位置に形成した配設用凹部１２０３に配設される。配設用凹部１２０３の形成数は限定されるものではなく、ベンチレーション機構１の大きさ等を考慮して決められ、例えば、寝具Ａの中央付近に１つ形成したり、図１に示したように、複数形成したりすることができる。配設用凹部１２０３は、発泡ウレタン材１２０２の表面側からビーズ発泡体１２０１の裏面側まで貫通していてもよいし（図２参照）、ビーズ発泡体１２０１の厚み方向の中途までのへこみであってもよい。
【００１９】
ベンチレーション機構１は、図４〜図７に示したように、本体ケース１０と、２つのファン１１，１２と、排気口１３と、旋回流生成部１４とを有している。本体ケース１０は、内側に凹状部１０Ａ１，１０Ｂ１を備えた２つの凹状板状部材１０Ａ，１０Ｂを有し、両者がそれぞれの開放面を向かい合わせて接合され、凹状部１０Ａ１，１０Ｂ１を合わせた内部空間が空気の流通空間となっている。本体ケース１０は、２つの凹状板状部材１０Ａ，１０Ｂを接合して形成され、一方の凹状板状部材１０Ａの凹状部１０Ａ１の底面に相当する壁部が該本体ケース１０全体における底壁部１０１となり、他方の凹状板状部材１０Ｂの凹状部１０Ｂ１の底面に相当する壁部が該本体ケース１０全体において人との接触面側に位置する上壁部１０３となっている。また、２つの凹状板状部材１０Ａ，１０Ｂの各周壁１０Ａ２，１０Ｂ２が、開放面が向かい合わせで接合されることにより、本体ケース１０全体における周壁部１０２を構成している。上壁部１０３は、２つのファン１１，１２の配設位置に対応して吸気口１０３ａ，１０３ｂが開口されている。
【００２０】
そして、この本体ケース１０内に、ファン１１，１２、排気口１３及び旋回流生成部１４が設けられる構成であるため、本実施形態のベンチレーション機構１は、ユニット化されている。よって、このベンチレーション機構１は、上記した配設用凹部１２０３にユニットとして配置して簡易に使用することができる。
【００２１】
２つのファン１１，１２は、複数枚の回転羽根１１ａ，１２ａを有し、回転により、回転羽根１１ａ，１２ａの表面側から裏面側へと空気が吸引される。２つのファン１１，１２は、本体ケース１０内において、長さ方向一端寄りに、幅方向に隣り合わせで、回転羽根１１ａ，１２ａを支持する回転軸１１ｂ，１２ｂが底壁部１０１に対して略垂直となる向きで設けられる。
【００２２】
排気口１３は、平面視でファン１１，１２から離間した位置であり、表層クッション材１１００における人体との接触面に対峙する方向である上方向に開口するように設けられる。従って、本実施形態では、排気口１３は、ファン１１，１２に対応する吸気口１０３ａ，１０３ｂと共に、本体ケース１０の上壁部１０３に開口形成される。ファン１１，１２及び吸気口１０３ａ，１０３ｂが、上記のように、本体ケース１０の長さ方向一端寄りに設けられるが、排気口１３は長さ方向他端側に所定の距離離間した位置に設けられる。
【００２３】
ここで、本体ケース１０内には、ファン１１，１２により吸引された空気が、底壁部１０１、周壁部１０２及び上壁部１０３により取り囲まれた空気の流通空間内を排気口１３方向に流れ易くなるようにガイド壁１０４が設けられている。ガイド壁１０４は、図５に示したように、平面視で略円弧状で排気口１３方向に突出するように延びている。そのため、一方のファン１１により吸引された空気は、周壁部１０２方向に拡散されようとするが、このガイド壁１０４に規制されて旋回するような流れとなる。また、周壁部１０２は、図５に示したように、排気口１３寄りの部分では平面視で略半円形に形成されている。よって、他方のファン１２により吸引された空気も周壁部１０２方向に拡散されるが、周壁部１０２に規制されて旋回するような流れとなる。
【００２４】
排気口１３は、略円形に開口されているが、平面視で、該排気口１３の中心に略一致し、外径が排気口１３よりも小さい筒状部１０５が、底壁部１０１上に立設されている。ファン１１，１２により吸引された空気は、上記のようにガイド壁１０４及び周壁部１０２に規制されることで、旋回するような流れとなり、さらに、このような筒状部１０５が設けられているため、ファン１１，１２により吸引された空気の流れは、排気口１３の下方において筒状部１０５の周囲を旋回する旋回流となり、この旋回流が排気口１３から排気される。よって、排気口１３から旋回流となって排気されると、排気口１３の周囲及び表層クッション材１１００における人体の接触面付近において、人体に対して法線方向よりも接線方向を主体とした流れが生じやすくなり、人体周囲の体表面近くの空気層を効率的に攪拌でき、熱や湿り気等の低減効果を高め、快適性を向上させることができる。本実施形態において、旋回流生成部１４は、筒状部１０５と、本体ケース１０の周壁部１０２及びガイド壁１０４が組み合わさって構成される。
【００２５】
ヒーター２は、薄いシート状のもの（面状ヒーター）から構成され、表層クッション材１１００とベンチレーション機構１との間であって、配設用凹部１２０３を覆って支持層１２００の発泡ウレタン材１２０２の表面に積層される（図２、図３参照）。このため、ベンチレーション機構１の吸気口１０３ａ，１０３ｂや排気口１３には密接せず、隙間がある。また、配設用凹部１２０３の周縁の一部もヒーター２によって塞がれないように隙間を設けている。これにより、ファン１１，１２による吸気及び排気が妨げられずに、空気流がヒーター２に接触する。ファン１１，１２による吸気及び排気を円滑にするために、ヒーター２を構成する面状ヒーターとして、吸気口１０３ａ，１０３ｂ及び排気口１３に相当する範囲において貫通孔を有するもの、あるいは、帯状のものを所定間隔をおいて配置してネット状としたものなどを用いることもできる。
【００２６】
ヒーター２は、配設したベンチレーション機構１の全てに対応して配置してもよいし、その一部のみに対応して配置してもよい。あるいは、ベンチレーション機構１の配設位置から多少ずれた位置に設けることもできる。これは、表層クッション材１１００が厚み方向及び面方向に通気性を有するためであり、ベンチレーション機構１のファン１１，１２の駆動によって吸気口１０３ａ，１０３ｂから吸引された空気が排気口１３から排気された後、表層クッション材１１００の特に連結糸間の隙間を面方向に速やかに移動するからである。図１において、ヒーター２を２つのベンチレーション機構１に対応して２つ配設しているが、これはあくまで一例であり、例えば、人の足下付近に位置するベンチレーション機構１に対応させて配置したり、逆に、人の腰付近に位置するベンチレーション機構１に対応させて配置したりすることができる。
【００２７】
寝床内環境測定センサー３は、表層クッション材１１００の近傍に配設される。掛け布団（図示せず）と敷き布団（表層クッション材１１００に相当）とにより作られる空間が寝床内であるため、寝床内環境測定センサー３は、表層クッション材１１００の表面、あるいは、表層クッション材１１００の厚みの範囲内の表面に近い位置に設けられる。寝床内環境測定センサー３としては、温度センサー、湿度センサー、気流センサーなどが挙げられる。
【００２８】
制御部４は、寝床内環境測定センサー３により測定される温度、湿度、気流に基づいて、ベンチレーション機構１のファン１１，１２の制御（ＯＮ・ＯＦＦ、回転速度、回転時間）又はヒーター２の制御（ＯＮ・ＯＦＦ、温度、加温時間）を行う。一般的に、適正な寝床内温度は３３℃±１℃、寝床内の相対湿度は５０％±５％と言われていることから、制御部４は、寝床内環境測定センサー３による測定値がそれらの値に近づくように制御する。
【００２９】
本実施形態によれば、寝床内環境測定センサー３により、例えば、寝床内温度が上記の適正な温度よりも高いと判定された場合、制御部４は、ベンチレーション機構１のファン１１，１２を回転駆動させる。ファン１１，１２が駆動すると、底壁部１０１、周壁部１０２及び上壁部１０３を備えて形成された本体ケース１０内に、吸気口１０３ａ，１０３ｂから空気が吸引される。吸引された空気は、本体ケース１０内において底壁部１０１、周壁部１０２及び上壁部１０３に取り囲まれた空気の流通空間内を流通し、旋回流生成部１４を構成する筒状部１０５の周囲を旋回して、排気口１３から排気される。表層クッション材１１００における人体との接触面側から空気が吸引されることにより、熱や汗が速やかに低減される。また、排気口１３から排気された空気の流れは、表層クッション材１１００中に速やかに広がり、人体周囲の空気層と表層クッション材１１００中の空気層との間で温度勾配、湿度勾配、気流勾配も生じさせる。それにより、人体周囲の空気層と表層クッション材１１００中の空気層との間での空気の流れが促進され、寝床内温度を速やかに低下させる。
【００３０】
一方、寝床内環境測定センサー３により寝床内温度が上記の適正な温度よりも低いと判定された場合には、制御部４は、ヒーター２をＯＮして発熱させると共に、ベンチレーション機構１のファン１１，１２を回転駆動させる。これにより、吸気口１０３ａ，１０３ｂを経て本体ケース１０内に空気が吸引され、その後、排気口１３から排出されるという空気の流れが生じるが、その間にヒーター２により空気が加温される。加温された空気は、表層クッション材１１００の上方に抜けるだけでなく、表層クッション材１１００内の面方向にも速やかに行き渡る。それにより、表層クッション材１１００に接触面側に位置する人体周囲の空気層と表層クッション材１１００中の空気層との間で温度勾配、湿度勾配、気流勾配が生じる。そのため、表層クッション材１１００の広範囲において、表層クッション材１１００中の空気層と人体周囲の空気層との間で穏やかな空気の流れが生じ、寝床内温度が上昇する。
【００３１】
このように本実施形態によれば、表層クッション材１１００を隔てた人体側と表層クッション材１１００内との間の温度勾配、湿度勾配又は気流勾配を利用して人体周囲の空気層を穏やかに適正な温度、湿度に誘導することができ、快適な睡眠を妨げることなく、寝床内環境を適正に維持できる。
【００３２】
ここで、図３に示したｃｈ１〜ｃｈ４の位置に温度センサーを設定して、ベンチレーション機構１のファン１１，１２のみを作動させた場合、ヒーター２のみを作動させた場合、ファン１１，１２及びヒーター２の同時に作動させた場合について、温度変化を測定した。なお、測定は、表層クッション材１１００上に、人を横臥させず、また、掛け布団を配置せずに行った。結果を図８に示す。
【００３３】
図８から明らかなように、ファン１１，１２のみを作動させた場合には、排気口１３付近に設置した温度センサーｃｈ１、一方の吸気口１０３ａ付近に設置した温度センサーｃｈ２、及びそれらの略中間位置に設置した温度センサーｃｈ３と、ベンチレーション機構１の外周及びヒーター２の外周のいずれもから外方に離間した位置に設置した温度センサーｃｈ４との間で、測定の違いはほとんどなかった。
【００３４】
一方、ヒーター２のみを作動させた場合には、排気口１３付近に設置した温度センサーｃｈ１と略中間位置に設置した温度センサーｃｈ３とはほぼ同じで、一方の吸気口１０３ａ付近に設置した温度センサーｃｈ２がそれらよりも１０℃ほど低い値であり、ヒーター２から外方に離間した位置に設置した温度センサーｃｈ４に至ってはさらに２５℃以上低い値であった。これに対し、ヒーター２に加えてファン１１，１２も共に作動させた場合には、ｃｈ１〜ｃｈ４はほとんど同じ範囲（温度差が最大でも５℃程度）に収まっていた。これは、ファン１１，１２により、表層クッション材１１００内の面方向に空気の流れが行き渡っていることを示すものであり、加温する場合も、ヒーター２のみを作動させるのではなく、ファン１１，１２と同時に作動させることが好ましいことがわかる。
【００３５】
なお、上記実施形態においては、ファン１１，１２を２つ用い、排気口１３を１箇所としているが、吸気機能と排気機能を備え、排気の際に旋回流を生成できる構造であれば、ファンの配置数は１つであってもよいし、３つ以上でもよい。排気口の形成数も複数であってもよい。
【００３６】
図９（ａ），（ｂ）は、表層クッション材１１００に支持されている人から生体信号を取得する生体信号測定装置４００を示した図である。この生体信号装置４００を表層クッション材１１００の下部であって、上記のベンチレーション機構１やヒーター２とは異なる人の背部に相当する位置に配置する（図１参照）。生体信号測定装置４００は、図示しない電気的な配線等に加え、生体信号検出部４１０を有してなる。
【００３７】
生体信号検出部４１０は、それぞれ所定の幅及び長さを有する略長方形の第一層部材４１１、第二層部材４１２及び第三層部材４１３が積層された三層構造で構成されている。第一層部材４１１は、三次元立体編物等からなり、生体信号の検出対象である人体側に位置させて用いられ、人体の背部の体表面を介しての生体信号は第一層部材４１１にまず伝播される。第二層部材４１２は、第一層部材４１１から伝播される微弱な背部体表脈波を共鳴現象又はうなり現象によって強調させる共鳴層として機能し、ビーズ発泡体等からなるベース部材４１２１、固有振動子の機能を果たす三次元立体編物４１２２、膜振動を生じるフィルム４１２３を有して構成される。ベース部材４１２１の中心を挟んだ対称位置に、２つの配置孔４１２１ａ，４１２１ａが形成され、この配置孔４１２１ａ，４１２１ａに固有振動子の機能を果たす三次元立体編物４１２２、４１２２が配置されている。フィルム４１２３，４１２３は、この固有振動子の機能を果たす三次元立体編物４１２２，４１２２の各露出面を覆うように、第二層部材４１２の両面に積層される。そして、一方の三次元立体編物４１２２とフィルム４１２３との間に背部体表脈波による振動（音）を検出するマイクロフォンセンサ４１４が配設されている。第三層部材４１３は、第二層部材４１２を介して第一層部材４１１の反対側に積層され、外部からの振動入力を低減する。第三層部材４１３は、好ましくは１００Ｈｚを超える高周波の外部振動を除振する機能を有する。第三層部材４１３としては、このようなフィルタリング機能を果たすために、第一層部材４１１と同様に三次元立体編物を用いることが好ましい。
【００３８】
生体信号測定装置４００からの信号を分析装置３００（図１参照）に送り、例えば、眠気、疲労度、心拍数、呼吸数、体温、血圧、発汗量等の生体状態を分析する。その分析結果は、例えばモニタ（図示せず）に表示させることで、寝具Ａ上に横たわっている人の生体状態を知ることができる。
【００３９】
また、単にモニタリングするだけでなく、分析結果に基づいて、制御部４からベンチレーション機構１やヒーター２を作動させる信号を出力する構成とすることもできる。例えば、血圧が所定の設定値に比べて上下したことに基づき、ベンチレーション機構１やヒーター２を駆動させることができる。あるいは、発汗量が所定以上の場合には、ベンチレーション機構１を作動させたりすることもできる。このような制御によっても、寝床内環境を適正に誘導し、快適な睡眠を促すことができる。
【符号の説明】
【００４０】
Ａ  寝具
１１００  表層クッション材
１２００  支持層
１  ベンチレーション機構
１０  本体ケース
１０１  底壁部
１０２  周壁部
１０３  上壁部
１０４  ガイド壁
１０５  筒状部
１１，１２  ファン
１３  排気口
１４  旋回流生成部
２  ヒーター
３  寝床内環境測定センサー
４  制御部
３００  分析装置
４００  生体信号測定装置
【図１】
2019201826.tif 000003
【図２】
2019201826.tif 000004
【図３】
2019201826.tif 000005
【図４】
2019201826.tif 000006
【図５】
2019201826.tif 000007
【図６】
2019201826.tif 000008
【図７】
2019201826.tif 000009
【図８】
2019201826.tif 000010
【図９】
2019201826.tif 000011